(57)【要約】【課題】デュエットする２人がそれぞれ使用すべきマイクロホンがどっちなのかを、なんの苦もなく利用者に認識してもらえるユーザインタフェース技術を提供する。【解決手段】顔写真表示処理は、２つの利用者ＩＤに該当する２つの顔写真データを表示手段に表示させるとともに、表示された第１顔写真と第２顔写真にそれぞれ対応付けて第１音声入力図案と第２音声入力図案を表示させ、かつ、第１マイクロホンからの音声入力信号に基づいて第１音声入力図案を変化させるとともに、第２マイクロホンからの音声入力信号に基づいて第２音声入力図案を変化させること【選択図】図２
2006259331.tif 000002
【特許請求の範囲】
【請求項１】
記憶手段と、入力手段と、演奏手段と、採点手段と、表示手段と、制御手段を備え、採点結果を個人別に記録するカラオケ装置であって、
記憶手段は、顔写真データを利用者ＩＤに対応付けて複数記憶するとともに、曲別採点情報を利用者ＩＤに対応付けて複数記憶し、
入力手段は、利用者ＩＤに対応付けたリクエスト曲情報を入力可能であり、
演奏手段は、制御手段の制御によりカラオケ伴奏音楽を演奏し、
採点手段は、カラオケ伴奏音楽データから得た採点基準と、第１マイクロホンおよび第２マイクロホンからの歌声信号とをそれぞれ比較し、２人の歌声信号についての採点データをそれぞれ出力可能であり、
表示手段は、制御手段の制御により画像を表示し、
制御手段は、２つの利用者ＩＤと対応付けされたリクエスト曲について、当該曲の演奏直前の期間に顔写真表示処理を行うとともに、採点後に採点記録処理を行い、
顔写真表示処理は、２つの利用者ＩＤに該当する２つの顔写真データを表示手段に表示させるとともに、表示された第１顔写真と第２顔写真にそれぞれ対応付けて第１音声入力図案と第２音声入力図案を表示させ、かつ、第１マイクロホンからの音声入力信号に基づいて第１音声入力図案を変化させるとともに、第２マイクロホンからの音声入力信号に基づいて第２音声入力図案を変化させ、
採点記録処理は、第１マイクロホンからの歌声信号の採点結果を第１顔写真の利用者ＩＤに対応付けて記録し、第２マイクロホンからの歌声信号の採点結果を第２顔写真の利用者ＩＤに対応付けて記録する
カラオケ装置。
【発明の詳細な説明】
【技術分野】
【０００１】
この発明は、デュエットする２人の歌唱を各別に採点することが可能なカラオケ装置に関し、とくに、採点結果を個人別に記録しておいて活用するカラオケ装置に関する。
【背景技術】
【０００２】
（Ａ）特許第３４５２７９１号「カラオケ採点装置」においては、２人でデュエット曲を歌う際に、カラオケ伴奏音楽データから得た各パートの採点基準と、第１マイクロホンおよび第２マイクロホンからの歌声信号とをそれぞれ比較し、２人の歌声信号についての採点データをそれぞれ出力する技術が開示されている。
【０００３】
（Ｂ）特許第３５７３４２５号「カラオケバトルゲームに特徴を有するカラオケ装置」においては、２人で歌う際に、それぞれの歌声をカラオケ伴奏音楽から得た採点基準に照らして各別に逐次採点し、歌唱中の採点経過をＣＧ映像によるカラオケバトルゲームとして表現する技術が開示されている。
【０００４】
（Ｃ）特許第３１３６２７２号「通信カラオケシステム」においては、リクエスト時にリクエストした人の利用者ＩＤも自動入力し、その人が歌唱した際の採点結果を利用者ＩＤに対応付けしてカラオケ装置に記録しておき、それらの記録情報を集計してさまざまに活用するシステムが開示されている。
【０００５】
（Ｄ）特許第３４５３２４８号「通信カラオケシステム、カラオケ再生端末」においては、ホスト装置にて顧客情報データベースを管理し、カラオケ再生端末から利用者ＩＤが送られてきたら該当の顧客情報を返信し、端末では受け取った顧客情報に基づいて、その利用者の個人情報をちりばめた歓迎メッセージなどを作成して提示するシステムが開示されている。
【０００６】
（Ｅ）特許第３４３２１３２号「カラオケ演奏装置、その本体およびリモコン予約装置」においては、カメラ付きのリモコン予約装置で利用者の顔写真を撮影し、その顔写真データとリクエスト曲情報とを対応付けしてカラオケ演奏装置に送信し、そのリクエスト曲の演奏開始直前にリクエストした人の顔写真をディスプレイに表示するシステムが開示されている。
【０００７】
（Ｆ）特開２００５−４９７０７号「多機能カラオケリモコン装置」においては、カラオケ集会参加者の個人ＩＤ（利用者ＩＤ）と顔写真とを対応付けたメンバー表をリモコン装置に記憶しておくとともに、ディスプレイに顔写真を一覧的に表示し、その顔写真にタッチ入力することで利用者ＩＤを特定できるようにし、これによりリクエスト曲に対応付ける利用者ＩＤの入力操作は簡便化するとともに、リクエスト曲の演奏時にリクエストした人の顔写真を表示するシステムが開示されている。
【０００８】
（Ｇ）特開２００５−１７７３６号「カラオケ装置の演奏予約システムおよび選曲リモコン装置」においては、利用者ＩＤと顔写真とを対応付けして記憶しておき、デュエット曲のリクエストとともに一緒に歌ってくれる人を募集する要求を入力すると、自分の顔写真と曲名と相手募集メッセージを編集した告知文書がディスプレイに表示されるというシステムが開示されている。
【０００９】
（Ｈ）特許第３６２９４５０号「カラオケ接客支援装置を統合したカラオケ装置」においては、顧客別の演奏履歴を集約した顧客データベースを備え、これに基づいて作成した入店者リストを表示させ、この表示上からリクエストする人の利用者ＩＤを装置に認知させる技術が開示されている。
【発明の開示】
【発明が解決しようとする課題】
【００１０】
この出願の発明者は、出願人らが開発した上記の公知技術（Ａ）〜（Ｈ）などを組み合せて応用し、つぎのようなデュエット採点システムを企図した。利用者は、デュエットしようとする楽曲をリクエストする際に、デュエットする２人の利用者ＩＤを直接または間接に入力できるようにし、カラオケ装置の側でリクエスト曲情報と２人分の利用者ＩＤとを対応付けして記憶する。その曲が演奏される直前には、記憶した２つの利用者ＩＤにそれぞれ対応付けられた２人の顔写真（利用者ＩＤに対応付けられて顔写真データが登録されている）を並べて表示し、歌唱を促す。その歌がデュエットされる際には、２人の歌唱者の歌声を個別に採点し、結果を表示するとともに、利用者ＩＤに対応付けして記録する。この記録情報はさまざまに活用できる。
【００１１】
このデュエット採点システムでは、カラオケ伴奏音楽データから得た採点基準と、第１マイクロホンおよび第２マイクロホンからの歌声信号とをそれぞれ比較し、２人の歌声信号についての採点データをそれぞれ出力することになる。この採点結果を利用者ＩＤに対応付けして記録するには、カラオケ装置の側において、２人の歌唱者が第１と第２のどっちのマイクロホンを使ったのかが分からなければならない。
【００１２】
そのための方法論としては、つぎの２つが有力である。第１は、どっちの人がどっちのマイクロホンを使うのかをなんらかの入力方法でカラオケ装置に知らせるやり方である。第２は、マイクロホンが外見上区別できるようにしておき、カラオケ装置の側から利用者に向け、どっちの人がどっちのマイクロホンを使いなさいと指示し、利用者がそれに従うというやり方である。
【００１３】
この発明は、上記の２つの方法とは異なる第３の方法により、デュエットする２人がそれぞれ使用すべきマイクロホンがどっちなのかを、なんの苦もなく利用者に認識してもらえるユーザインタフェース技術を提供するものである。
【課題を解決するための手段】
【００１４】
この発明に係るカラオケ装置は、つぎの事項（１）〜（９）により特定されるものである。  
（１）記憶手段と、入力手段と、演奏手段と、採点手段と、表示手段と、制御手段を備え、採点結果を個人別に記録するカラオケ装置であること
（２）記憶手段は、顔写真データを利用者ＩＤに対応付けて複数記憶するとともに、曲別採点情報を利用者ＩＤに対応付けて複数記憶すること
（３）入力手段は、利用者ＩＤに対応付けたリクエスト曲情報を入力可能であること
（４）演奏手段は、制御手段の制御によりカラオケ伴奏音楽を演奏すること
（５）採点手段は、カラオケ伴奏音楽データから得た採点基準と、第１マイクロホンおよび第２マイクロホンからの歌声信号とをそれぞれ比較し、２人の歌声信号についての採点データをそれぞれ出力可能であること
（６）表示手段は、制御手段の制御により画像を表示すること
（７）制御手段は、２つの利用者ＩＤと対応付けされたリクエスト曲について、当該曲の演奏直前の期間に顔写真表示処理を行うとともに、採点後に採点記録処理を行うこと
（８）顔写真表示処理は、２つの利用者ＩＤに該当する２つの顔写真データを表示手段に表示させるとともに、表示された第１顔写真と第２顔写真にそれぞれ対応付けて第１音声入力図案と第２音声入力図案を表示させ、かつ、第１マイクロホンからの音声入力信号に基づいて第１音声入力図案を変化させるとともに、第２マイクロホンからの音声入力信号に基づいて第２音声入力図案を変化させること
（９）採点記録処理は、第１マイクロホンからの歌声信号の採点結果を第１顔写真の利用者ＩＤに対応付けて記録し、第２マイクロホンからの歌声信号の採点結果を第２顔写真の利用者ＩＤに対応付けて記録すること
【発明の効果】
【００１５】
上記の顔写真表示処理が実行されている期間に、デュエットする２人がたまたま掴んだマイクロホンを軽くたたいたり発声して音声を入力すると、それによって上記の２つの音声入力図案のどっちかが変化するが、自分が入力した音声に応答するように変化する図案が自分の顔写真に対応付けられていれば、そのままで歌えばよい。応答変化するのが相手の顔写真に対応付けられた図案であれば、マイクロホンを交換して歌えばよい。このように分かりやすくて簡便である。
【発明を実施するための最良の形態】
【００１６】
＝＝＝カラオケ装置の基本的な構成と機能＝＝＝
この発明の一実施例によるカラオケ装置の概略構成を図１に示している。メインコンピュータ１は、このカラオケ装置の全体を統括する。ハードディスク装置２には、メインコンピュータ１のプログラムと、カラオケデータベースと、映像データベースと、運用記録データベースと、入店者情報テーブルなどの各種情報が格納されている。操作／表示パネル部３は、利用者により各種の情報が入力可能であるとともに、利用者に向けて各種の情報を表示可能である。通信制御部７は、通信回線を介して外部のカラオケサーバーおよび会員情報サーバーと通信する。
【００１７】
演奏処理部８は、メインコンピュータ１の制御により、カラオケデータに基づいて伴奏音楽を演奏し、ミキシングアンプ８を介してオーディオシステムにより放音する。第１マイクロホンや第２マイクロホンからの音声信号はマイクアンプ１０を介してミキシングアンプ９に入力されるとともに、採点処理部１１にも入力される。
【００１８】
採点処理部１１は、メインコンピュータ１の制御により、カラオケ伴奏音楽の演奏中において、カラオケデータから得た採点基準と、マイクロホンからの音声信号とを逐次比較し、歌唱の巧拙を分析した採点データを出力する。デュエット曲の演奏時に第１マイクロホンと第２マイクロホンを用いて２人で歌う際には、採点処理部１１は、カラオケ伴奏音楽データから得た各パートの採点基準と、第１マイクロホンおよび第２マイクロホンからの歌声信号とをそれぞれ比較し、２人の歌声信号についての採点データをそれぞれ出力する。
【００１９】
カラオケ演奏に関連した各種の映像情報が、メインコンピュータ１の制御により、ビデオメモリ４・表示処理部５・表示装置６によって利用者に提供される。たとえば、カラオケ演奏中には歌詞テロップを伴ったカラオケ映像が表示されるし、採点経過や結果も表示される。演奏休止中には、演奏予約状況を示す情報、音楽関連の広告宣伝情報、今週のベストテンのようなカラオケ関連情報などが各種表示される。
【００２０】
＝＝＝携帯コンピュータ１３＝＝＝
携帯コンピュータ１３は、カラオケ集会に参加している利用者によって操作されるもので、無線ポート１３を介してメインコンピュータ１と通信するものである。携帯コンピュータ１３は、パームトップ型あるいはラップトップ型などと称される偏平な一体型のパソコンであり、ユーザインタフェースとして、その正面に透明タッチパネル付きの液晶表示器が大きくレイアウトされており、これにより利用者と対話形式でさまざまな情報交換を行える。
【００２１】
この実施例の携帯コンピュータ１３は、ＩＣカードインタフェースと、デジタルカメラを一体的に備えている。ＩＣカードインタフェースは、利用者が所持する会員カードに記録されている情報（利用者ＩＤが含まれる）を読み取り可能である。デジタルカメラは、利用者の顔写真を撮影する目的にあわせた仕様となっている。
【００２２】
携帯コンピュータ１３は、ＩＣカードインタフェースにより読み取った利用者ＩＤを記憶するとともに、メインコンピュータ１に通知する。携帯コンピュータ１３のハードディスク装置にはカラオケ索引データベースが蔵置されており、これにより利用者がさまざまなモードで楽曲検索を行うことができ、検索した楽曲を演奏予約（リクエスト）することができる。
【００２３】
＝＝＝会員情報サーバー＝＝＝
会員情報サーバーが管理するデータベースには、カラオケプロバイダーが発行した会員カードを所有する利用者の個人情報（会員情報）が利用者ＩＤをキーとして集約されている。会員情報には、住所・氏名・年齢・職業などのほか、カラオケ利用実績情報が含まれる。その中には利用者が歌って採点された結果（曲ごとの採点データ）が含まれる。
【００２４】
また会員情報には、デジタルデータ形式の顔写真データが含まれる。ここでの顔写真データは、デジタルカメラで撮影されてプリクラ（商標）のように適宜に編集加工されたものでよい。また一般的な定義とは異なるが、この発明において顔写真とは顔のイラスト画なども包含する概念である。
【００２５】
＝＝＝入店時の情報処理＝＝＝
カラオケ集会に参加する利用者は、まず、自分の会員カードを携帯コンピュータ１３に読み込ませる。その利用者ＩＤはメインコンピュータ１に伝達される。メインコンピュータ１は、入店者の利用者ＩＤを会員情報サーバーに送信する。会員情報サーバーは、受信した利用者ＩＤに該当する会員情報中の所定の部分情報をカラオケ装置（メインコンピュータ１）に返信する。メインコンピュータ１に返信されてくる会員情報の中にはニックネーム付きの顔画像データなどが含まれている。メインコンピュータ１は、この顔画像データをハードディスク装置２の入店者情報テーブルに記憶するとともに、携帯コンピュータ１３にも転送する。
【００２６】
携帯コンピュータ１３のハードディスク装置にも同様な入店者情報テーブルが作成されており、メインコンピュータ１から受け取った顔画像を含む会員情報がこのテーブルに登録される。携帯コンピュータ１３は、透明タッチパネル付き液晶表示器の画面の一部に、入店者情報テーブルに登録されている顔画像を一覧表示する。この入店者の顔画像のリストは、画面の片隅に常時表示されている。
【００２７】
＝＝＝リクエスト曲と利用者ＩＤの入力＝＝＝
利用者は、携帯コンピュータ１３によってリクエスト曲を選出して演奏予約指示を発するときに、画面に表示されている顔画像リストの中から自分の顔画像にタッチ入力する。そうすると、リクエスト曲の楽曲ＩＤとリクエストした人の利用者ＩＤとがメインコンピュータ１に送られ、演奏予約の待ち行列に登録される。
【００２８】
デュエット曲を２人でリクエストする際には、２人の顔画像にタッチ入力することにより、その曲のＩＤと２人分の利用者ＩＤとが対応付けられてメインコンピュータ１に送られて待ち行列に登録される。
【００２９】
メインコンピュータ１は、リクエスト入力があった際や曲間において、待ち行列に登録されているリクエスト曲リストを表示させるが、そのリストには各曲を予約した人の顔画像を添付させている。
【００３０】
＝＝＝デュエット曲の演奏＝＝＝
メインコンピュータ１は、待ち行列に登録されている次曲の情報を取り出し、その曲の演奏準備を行う際に、その曲が２人分の利用者ＩＤに対応付けられているデュエット曲である場合、その２つの利用者ＩＤに該当する２つの顔写真データをハードディスク装置２の入店者情報テーブルから取り出し、その顔写真をあしらったマイク確認画面を作成して表示装置６に表示させる。
【００３１】
マイク確認画面の具体例を図２と図３に示している。２人の顔写真を第１顔写真・第２顔写真とする。図２の例では、第１、第２の顔写真を左右に並べ、第１顔写真（ニックネームうーさん）の下に第１マイクロホンのレベルメータ図案（第１音声入力図案）を組み合せ、第２顔写真（ニックネームいくみ姫）の下に第２マイクロホンのレベルメータ図案（第２音声入力図案）を組み合わせたデザインとなっている。
【００３２】
このとき同時に、メインコンピュータ１は採点処理部１１に指示し、第１マイクロホンの実時間での音声入力レベル情報と、第２マイクロホンの実時間での音声入力レベル情報を送らせる。そしてメインコンピュータ１は、第１マイクロホンの音声入力レベル情報に基づいて第１顔写真の下のレベルメータ図案の表示形態を変化させるとともに、第２マイクロホンの音声入力レベル情報に基づいて第２顔写真の下のレベルメータ図案の表示形態を変化させる。
【００３３】
図３の例では、２つの顔写真の下にそれぞれ配した丸いボタン図案が音声入力図案であり、メインコンピュータ１は採点処理部１１からの音声入力レベル情報に従ってボタン図案の色を変化させる。
【００３４】
上記のようなマイク確認画面は、デュエット曲の演奏直前に所定時間だけ表示することとしてもよいし、図３の例のように所定の操作入力があるまで表示することとしてもよい。マイク確認画面が表示されている期間において、デュエットする２人がたまたま掴んだマイクロホンを軽くたたいたり発声して音声を入力すると、それによって上記の２つの音声入力図案のどっちかが変化するが、自分が入力した音声に応答するように変化する図案が自分の顔写真に対応付けられていれば、そのままで歌えばよい。応答変化するのが相手の顔写真に対応付けられた図案であれば、マイクロホンを交換して歌えばよい。  
なお、顔写真としてはイラスト画も含むと定義したが、場合によってはニックネームの表記を顔写真に代えてもよい。
【００３５】
＝＝＝デュエット曲の採点記録処理＝＝＝
採点処理部１１は、カラオケ伴奏音楽データから得た各パートの採点基準と、第１マイクロホンおよび第２マイクロホンからの歌声信号とをそれぞれ比較し、２人の歌声信号についての採点データをそれぞれ出力する。メインコンピュータ１は、演奏中の採点経過を表示装置６に表示させるとともに、演奏終了時に採点結果を表示させる。またメインコンピュータ１は、第１マイクロホンからの歌声信号の採点結果を第１顔写真の利用者ＩＤに対応付けて記録し、第２マイクロホンからの歌声信号の採点結果を第２顔写真の利用者ＩＤに対応付けて記録する。この記録は、ハードディスク装置２の運用記録データベースに登録するとともに、入店者情報テーブルにも登録する。運用記録データベースの内容はカラオケサーバーによって適時に集信され、入店者情報テーブルの内容は会員情報サーバーに適時に集信される。サーバーに集信される情報は、さまざまに活用される。
【図面の簡単な説明】
【００３６】
【図１】この発明の一実施例に係るカラオケ装置の概略構成図である。
【図２】マイク確認画面の第１実施例である。
【図３】マイク確認画面の第２実施例である。
【符号の説明】
【００３７】
１  メインコンピュータ
２  ハードディスク装置
６  表示装置
１１  採点処理部
１３  携帯コンピュータ
【図１】
2006259331.tif 000003
【図２】
2006259331.tif 000004
【図３】
2006259331.tif 000005